(57)【要約】【課題】特殊商品の無駄を省き、コストパフォーマンスが高く収益増加を図ることができるとともに、勝玉情報の偽造などの不正防止及び個人情報の保護やセキュリティ面の向上を促進可能な景品交換及び景品買取システムを提供する。【解決手段】景品交換選択手段５０は、特殊景品に交換する獲得遊技媒体数の交換数データ及び個人認証データの入力を条件に、この個人認証データ及び前記交換数データと関連付けられた識別情報を記録した記録媒体９０を発行し、景品交換許可手段３０は、景品買取手段７０が前記記録媒体９０から読み取った識別情報に対応して入力された個人認証データが、景品交換選択手段５０で入力した個人認証データと一致している場合には、景品買取手段７０から識別情報に対応する交換数データ分の金員払出しを許可する。【選択図】図２
2007306954.tif 000002
【特許請求の範囲】
【請求項１】
遊技客が獲得した獲得遊技媒体数の獲得数データ、遊技客が一般景品との交換を選択した場合における一般景品と交換する獲得遊技媒体の交換数データ、遊技客が特殊景品との交換を選択した場合における特殊景品と交換する獲得遊技媒体の交換数データ、及び特定の個人を識別するための個人認証データを入力可能であり、書き換え不能な識別情報を記録した記録媒体を発行可能に形成された景品交換選択手段、
前記記録媒体に記録された識別情報を読み取り可能であり個人認証データを入力可能であるとともに、特殊景品と交換する獲得遊技媒体の交換数データに対応する金員を払い出し可能な景品買取手段、
前記景品買取手段に入力された個人認証データの正当性を判断し、前記景品買取手段に対して特殊景品の買い取りを許可する景品買取許可手段、により構成される景品交換及び景品買取システムであって、
前記景品交換選択手段は、特殊景品に交換する獲得遊技媒体数の交換数データ及び個人認証データの入力を条件に、この個人認証データ及び前記交換数データと関連付けられた識別情報を記録した記録媒体を発行すると共に、前記識別情報、個人認証データ及び交換数データを前記景品買取許可手段に出力し、
前記景品買取手段は、前記記録媒体から読み取った識別情報及び入力された個人認証データを前記景品買取許可手段に出力し、
前記景品買取許可手段は、前記景品交換選択手段から入力した個人認証データ及び識別情報と、前記景品買取手段から入力した識別情報及び個人認証データとを照合し、双方が一致している場合には、前記景品買取手段に景品買取許可信号を出力し、
前記景品買取手段は、前記景品買取許可信号の入力を条件に金員を払い出すように形成されていることを特徴とする景品交換及び景品買取システム。
【請求項２】
遊技客が獲得した獲得遊技媒体数の獲得数データ、遊技客が一般景品との交換を選択した場合における一般景品と交換する獲得遊技媒体の交換数データ、遊技客が特殊景品との交換を選択した場合における特殊景品と交換する獲得遊技媒体の交換数データ、及び特定の個人を識別するための個人認証データを入力可能であり、書き換え不能な識別情報を記録した記録媒体を発行可能に形成された景品交換選択手段、
前記記録媒体に記録された識別情報を読み取り可能であり個人認証データを入力可能であるとともに、特殊景品と交換する獲得遊技媒体の交換数データに対応する金員を払い出し可能な景品買取手段、
前記景品買取手段に入力された個人認証データに関し正当性の認証を与えるための認証付与手段、
前記認証付与手段の認証に基づいて、前記景品買取手段に対して特殊景品の買い取りを許可する景品買取許可手段、により構成される景品交換及び景品買取システムであって、
前記景品交換選択手段は、特殊景品に交換する獲得遊技媒体数の交換数データ及び個人認証データの入力を条件に、この個人認証データ及び前記交換数データと関連付けられた識別情報を記録した記録媒体を発行すると共に、前記識別情報及び交換数データを前記景品買取許可手段に出力し、前記個人認証データ及び識別情報を前記認証付与手段に出力し、
前記景品買取手段は、前記記録媒体から読み取った識別情報及び入力された個人認証データを前記景品買取許可手段に出力し、
前記景品買取許可手段は、前記景品買取手段から入力した識別情報及び個人認証データを前記認証付与手段に出力し、
前記認証付与手段は、前記景品交換選択手段から入力した個人認証データ及び識別情報と、前記景品買取許可手段から入力した識別情報及び個人認証データとを照合し、双方が一致している場合には、前記景品買取許可手段に認証付与信号を出力し、
認証付与信号を入力した景品買取許可手段が、前記景品買取手段に景品買取許可信号を出力することにより、前記景品買取手段から金員が払い出されるように形成されていることを特徴とする景品交換及び景品買取システム。
【請求項３】
前記個人認証データは生体データであることを特徴とする請求項１又は２記載の景品交換及び景品買取システム。
【発明の詳細な説明】
【技術分野】
【０００１】
この発明は、パチンコ店などの遊技場で獲得した遊技媒体を景品と交換し、あるいは獲得した景品を買い取る際の、景品交換及び景品買取システムに関するものである。
【背景技術】
【０００２】
パチンコ、パチスロ店においては、客が獲得した遊技媒体（パチンコ球やメダル、いわゆる勝玉）と引き替えに、景品を提供するようになっている。そしてこの景品の中には、特殊景品（換金景品）と呼ばれるものがあり、遊技店から景品としてこれを獲得した客は、パチンコ店以外の特定業者、いわゆる「換え場」といわれる景品買取所にて金員と引き替えに買い取ってもらうことができる。これは、パチンコ店において、景品として現金や有価証券を提供することが法律上禁じられていることによる。
従来は、景品買取所において、特殊商品の計数や金額の計算等、人手により行っていたので、手間と時間がかかるだけでなく、偽造景品による被害が発生する場合も少なくなかった。これらの不都合を解消すべく、景品にＩＣタグを埋設し、これを読み取ることで集計の手間を省くようにした装置（特許文献１参照）や、遊技店内の端末で客が勝玉に応じた商品を発注すると、流通管理センターに所定の情報が送られると共に、客に対しては商品データが付加された特殊景品が提供され、これを所定の景品自動買取装置により付加情報を読み取らせることにより換金可能としたシステム（特許文献２参照）などが考案されている。
【特許文献１】特開２００５−２４５９０５号公報
【特許文献２】特開２００５−４６２８４号公報
【発明の開示】
【発明が解決しようとする課題】
【０００３】
しかし、上記した従来の景品交換・買い取りシステムはいずれも、遊技客がいったん受け取った景品を販売する形式であるため、実際には商品として使用されず遊技店と景品買い取り所との間を往復するだけの無駄な商品を保有しなければならない。
そこで本願発明は、こうした特殊商品の無駄を省き、コストパフォーマンスが高く収益増加を図ることができるとともに、勝玉情報の偽造などの不正防止やセキュリティ面の向上を促進可能な景品交換及び景品買取システムを提供することを目的とする。
【課題を解決するための手段】
【０００４】
各請求項に記載された各発明は、上記した目的を達成するためになされたものであり、本発明の特徴点を図面に示した発明の実施の形態を用いて、以下に説明する。
なお、括弧内の符号は発明の実施の形態において用いた符号を示し、本発明の技術的範囲を限定するものではない。
（請求項１）
請求項１記載の発明は、以下の点を特徴とする。
すなわち、請求項１記載の発明は、遊技客が獲得した獲得遊技媒体数の獲得数データ、遊技客が一般景品との交換を選択した場合における一般景品と交換する獲得遊技媒体の交換数データ、遊技客が特殊景品との交換を選択した場合における特殊景品と交換する獲得遊技媒体の交換数データ、及び特定の個人を識別するための個人認証データを入力可能であり、書き換え不能な識別情報を記録した記録媒体を発行可能に形成された景品交換選択手段、前記記録媒体に記録された識別情報を読み取り可能であり個人認証データを入力可能であるとともに、特殊景品と交換する獲得遊技媒体の交換数データに対応する金員を払い出し可能な景品買取手段、前記景品買取手段に入力された個人認証データの正当性を判断し、前記景品買取手段に対して特殊景品の買い取りを許可する景品買取許可手段、により構成される景品交換及び景品買取システムである。
【０００５】
ここで、「遊技媒体」とは、パチンコ玉やスロットマシンのメダルなど、遊技の結果として遊技客に払い出されるものであって、一定のレートで所定の景品と交換可能に設定された価値媒体である。
前記「獲得数データ」は、例えばジェットカウンター(60)から発行される玉数レシート(90)に記載された玉数情報とすることができる。
前記景品交換選択手段は、例えば遊技場に設けられた自動景品交換機(50)及びその制御部（店内制御装置10）とすることができる。また、「データを入力可能」とは、自動景品交換機(50)に設けられたタッチパネル(51)を操作したり操作ボタンを押したりすること、カード投入口等に所定のカード等を挿入することを含むものである。
【０００６】
前記景品買取手段は、いわゆる「換え場」に設けられた自動景品買取機(70)及びその制御部（買取制御装置20）とすることができる。また前記景品買取許可手段は、例えば景品卸業者の管理する制御装置（業者制御装置30）とすることができる。
そして、前記景品交換選択手段(10,50)は、特殊景品に交換する獲得遊技媒体数の交換数データ及び個人認証データの入力を条件に、この個人認証データ及び前記交換数データと関連付けられた識別情報（ＰＩＮデータ）を記録した記録媒体（ＰＩＮカード90）を発行すると共に、前記識別情報、個人認証データ及び交換数データを前記景品買取許可手段(30)に出力する。また、前記景品買取手段(20,70)は、前記記録媒体から読み取った識別情報及び入力された個人認証データを前記景品買取許可手段(30)に出力する。
【０００７】
そして、前記景品買取許可手段(20,70)は、前記景品交換選択手段(10,50)から入力した個人認証データ及び識別情報と、前記景品買取手段(20,70)から入力した識別情報及び個人認証データとを照合し、双方が一致している場合には、前記景品買取手段(20,70)に景品買取許可信号を出力し、前記景品買取手段(20,70)は、前記景品買取許可信号の入力を条件に金員を払い出すように形成されていることを特徴とする。
ここで、「個人認証データ」には、暗証番号やＩＤ、パスワードなどの他、人の生体情報をデータ化したものも含まれる。また、前記記録媒体(90)は、識別情報として、所定の数列や文字列が磁気情報やバーコードなどで付されたカードとすることができ、店番号などのその他の固定情報が記録されていてもよい。ただし、獲得数データや交換数データなどを記録することはできない。記録媒体(90)は、単なる識別情報を記録した媒体であって、有価証券にはあたらないので、法規制にも抵触しない。
【０００８】
（作用）
本発明において、客が獲得した遊技媒体数は、例えばジェットカウンター(60)からレシートに印刷されて出力される。客がこのレシートを例えば自動景品交換機(50)のレシート投入口(53)に投入することにより獲得数データが入力される。そして、獲得遊技媒体を一般景品と交換するか、特殊景品と交換するか、何個（何枚）交換するかを選択することができる。
客が特殊景品と交換する選択をした場合には、所定の個人認証データを入力することにより、識別番号の付された記録媒体(90)が発行される。この記録媒体(90)を持って、換え場に行き、例えば自動景品買取機(70)の所定の記録媒体投入口（ＰＩＮカード投入口73）に投入すると共に、所定の個人認証データを入力する。個人認証データの入力は、暗証番号やパスワードの入力でもよいし、例えば指紋などの生体認証でもよい。
【０００９】
そして、遊技場で記録媒体(90)の発行を受けた者の個人認証データと、自動景品買取機(70)において記録媒体(90)の投入時に入力された個人認証データとが一致していれば、自動景品交換機(50)において特殊景品と交換するよう選択した遊技媒体数に対応する金銭が、自動景品買取機(70)から払い出される。記録媒体(90)の識別情報と個人認証データが一致しない場合には、金銭は支払われない。
このように、本発明によれば、客としては換金用の商品を景品買取所に持って行く必要がなく、店としてはそのような商品を確保する必要がなくなる。また、特殊景品を販売する際に使用する記録媒体(90)は、それ自体に交換価値を有する情報（勝ち玉情報等）が記録されているわけではなく、発行時に登録された個人認証データと同時使用しない限り単なる媒体以外の何の価値もないものであるから、記録媒体(90)の紛失や盗難によって第三者が不当な利益を得ることはない。
【００１０】
（請求項２）
請求項２記載の発明は、以下の点を特徴とする。
すなわち、請求項２記載の発明は、遊技客が獲得した獲得遊技媒体数の獲得数データ、遊技客が一般景品との交換を選択した場合における一般景品と交換する獲得遊技媒体の交換数データ、遊技客が特殊景品との交換を選択した場合における特殊景品と交換する獲得遊技媒体の交換数データ、及び特定の個人を識別するための個人認証データを入力可能であり、書き換え不能な識別情報を記録した記録媒体を発行可能に形成された景品交換選択手段、前記記録媒体に記録された識別情報を読み取り可能であり個人認証データを入力可能であるとともに、特殊景品と交換する獲得遊技媒体の交換数データに対応する金員を払い出し可能な景品買取手段、前記景品買取手段に入力された個人認証データに関し正当性の認証を与えるための認証付与手段、前記認証付与手段の認証に基づいて、前記景品買取手段に対して特殊景品の買い取りを許可する景品買取許可手段、により構成される景品交換及び景品買取システムである。
【００１１】
ここで、前記認証付与手段は、所定の管理事務所に設けられた制御装置（団体制御装置40）とすることができる。
そして、前記景品交換選択手段(10,50)は、特殊景品に交換する獲得遊技媒体数の交換数データの入力及び個人認証データの入力を条件に、この個人認証データ及び前記交換数データと関連付けられた識別情報を記録した記録媒体(90)を発行すると共に、前記識別情報及び交換数データを景品買取許可手段(30)に出力し、前記個人認証データ及び識別情報を前記認証付与手段(40)に出力する。
また、前記景品買取手段(20,70)は、前記記録媒体(90)から読み取った識別情報及び入力された個人認証データを前記景品買取許可手段(30)に出力し、前記景品買取許可手段(30)は、前記景品買取手段(20,70)から入力した識別情報及び個人認証データを前記認証付与手段(40)に出力する。さらに前記認証付与手段(40)は、前記景品交換選択手段(10,50)から入力した個人認証データ及び識別情報と、前記景品買取許可手段(30)から入力した識別情報及び個人認証データを照合し、双方が一致している場合には、前記景品買取許可手段(30)に認証付与信号を出力する。そして、認証付与信号を入力した景品買取許可手段(30)が、前記景品買取手段(20,70)に景品買取許可信号を出力することにより、前記景品買取手段(20,70)から金員が払い出されるように形成されていることを特徴とする。
【００１２】
本発明は、景品買取手段(20,70)で入力された識別情報と個人認証データの整合性を判定するための独立した手段として、認証付与手段(40)を設けたものである。
本発明によれば、前記認証付与手段(40)を、遊技店や景品卸業者とは関係ない第三者団体の管理下に置くことにより、複数の遊技店又は景品買取所の利用客のプライバシーを一括して管理可能となり、それらの情報が外部に流出するのを防止できる。また同時に、特殊景品の売り買いの情報を第三者機関が管理することにより、内部監査機能を確立させることができる。
（請求項３）
請求項３記載の発明は、上記した請求項１又は２記載の発明の特徴点に加え、以下の点を特徴とする。
【００１３】
すなわち、請求項３記載の発明は、前記個人認証データは生体データであることを特徴とする。
本発明は、「個人認証データ」を限定したものである。生体認証とは、本人特定のため指紋や虹彩など人体の生体情報をデータ化して認証データとするものである。生体認証とすると、暗証番号やパスワードなどを記憶する必要がないので、客に余計な負担を掛けることがなく、生体情報は不可逆性であるため、匿名性を保持しつつ本人確認を確実に行うことができるという利点がある。
【発明の効果】
【００１４】
本願発明は、以上のように構成されているので、特殊商品の無駄を省き、コストパフォーマンスが高く収益増加を図ることができるとともに、勝玉情報の偽造などの不正防止やセキュリティ面の向上を促進可能な景品交換及び景品買取システムを提供できる。
【発明を実施するための最良の形態】
【００１５】
本発明の好適な実施の形態を、パチンコ店における景品交換及び買い取りを例として、図面に基づき説明する。
（図面の説明）
図１乃至図５は、本発明の実施の形態を示すものである。
【００１６】
図１及び図２は景品交換および買取システムの概略を示す説明図、図３及び図４は景品交換機及び景品買取機の一例を示す斜視図、図５は景品交換の流れを示すフローである。
（景品交換・買取システム）
本実施の形態による景品交換・買取システムは、図１に示すように、パチンコパーラー店内に設けられた店内制御装置10及び自動景品交換機50、パチンコパーラーとは別の場所にある景品買い取り所（いわゆる換え場）に設けられた買取所制御装置20及び自動景品買取機70、景品卸業者の有する業者制御装置30、第三者認証団体の有する団体制御装置40から構成されている。
【００１７】
各制御装置10,20,30,40は、いわゆるデータ管理サーバーであって、記憶装置及び情報処理装置を備えており、管理用パソコンなどの端末に接続されている。また、自動景品交換機50は店内制御装置10と、自動景品買取機70は買取所制御装置20とそれぞれ接続されている。さらに、店内制御装置10と業者制御装置30、買取所制御装置20と業者制御装置30が、それぞれ別個に電話回線などにより連結されており、店内制御装置10と業者制御装置30は団体制御装置40とも連結されている。
ここで、第三者認証団体とは、パチンコパーラー、景品買取所、景品卸業者のいずれからも独立した情報監視機構であって、特殊景品情報と顧客プライバシー情報の管理を行うためのものである。この第三者認証団体を介在させることにより、内部監査機能の確立を図ることができる。
【００１８】
（パチンコパーラー店内）
まず、パチンコパーラー店内における本システムの構成手段について説明する。
パチンコパーラー店内には、図２に示すように、顧客が取得した出玉を計測するためのジェットカウンター60と、自動景品交換機50と、自動景品交換機50の作動を制御するとともに自動景品交換機50から入力された諸情報を処理するための店内制御装置10とが設けられている。
（自動景品交換機50）
自動景品交換機50は、顧客が取得した出玉データと、一般景品及び特殊景品の景品情報に基づいて、出玉と景品との交換及び特殊景品の買い取りを可能とするためのものであって、店内の所定の場所に設置される例えば図３に示すようなスタンド型の装置である。そして、自動景品交換機50には、データ入力操作手段としてのタッチパネル51、生体認証装置52、レシート投入口53が設けられているとともに、景品交換レシート発行口54、ＰＩＮカード発行口55のふたつの発行口と、貯玉カード投入口56が設けられている。
【００１９】
前記タッチパネル51は、景品情報等所定の情報が表示されると共に、顧客が希望する景品や景品の受け取り方法等を入力するためのものである。前記生体認証装置52は、顧客の個別認証を行うためのものであり、例えば手指の指紋をデータ化することができる装置である。前記レシート投入口53は、ジェットカウンター60が発行する出玉データが例えばバーコードなどにより記録された玉数レシート80（図２参照）を挿入するための挿入口である。なおデータ入力操作手段としては、上記構成に限られず、テンキーなどの操作ボタン等が設けられていてもよい。
前記景品交換レシート発行口54は、顧客が一般景品の店内受け取りを希望した場合に、当該受け取り景品情報が記録された景品交換レシートが発行される排出口である。また前記ＰＩＮカード発行口55は、顧客が特殊景品との交換を希望した場合に発行される個別認証用の記録媒体の排出スロットである。
【００２０】
ここで、ＰＩＮカードとは、個人認証番号（Personal Identification Number）をあらわす所定の数列が磁気情報として予め書き込まれたカードであり、このほかに、店番号等のカードの発行者情報が例えばバーコードにより付されている。ＰＩＮカード90は、景品交換データや生体認証データを管理するためのものであって、前記個人認証番号は書き換え不能情報であり、このカード自体に例えば出玉データなどのその他の情報が書き込まれるものではない。すなわち、ＰＩＮカード90は、識別情報が書き込まれた単なるカードにすぎず、これ自体に価値があるわけではない。
前記貯玉カード投入口56は、貯玉カードを挿入する挿入口である。ここで、貯玉カードとは、特に図示しないが、玉数データを書き換え可能情報として記録することができる記録媒体であって、貸し玉や勝ち玉の数情報を記録することができるとともに、記録されているデータを読み出し及び書き換え可能なものである。
【００２１】
（店内制御装置10）
店内制御装置10は、図２に示すように、出玉データ入出力手段11、生体認証データ入出力手段12、ＰＩＮデータ入出力手段13、及び出玉データ記憶手段14、生体認証データ記憶手段15、ＰＩＮデータ記憶手段16を少なくとも備えている。
出玉データ入出力手段11は、前記レシート投入口53に投入された玉数レシート80から出玉データａを読み取るとともに、当該データを景品卸業者の管理する業者制御装置30に出力するためのものである。そして、出玉データ記憶手段14は、前記出玉データａを、入力出玉データＡとして記憶する。
【００２２】
生体認証データ入出力手段12は、前記生体認証装置52が認識した所定の生体情報（指紋など）を生体認証データｂとして入力すると共に、当該データを第三者認証団体の管理する団体制御装置40に出力するためのものである。そして、生体認証データ記憶手段15は、前記生体認証データｂを、入力生体認証データＢとして記憶する。
ＰＩＮデータ入出力手段13は、前記ＰＩＮカード発行口55から発行されたＰＩＮカード90のＰＩＮデータｃを、業者制御装置30及び前記団体制御装置40に出力するためのものである。そして、ＰＩＮデータ記憶手段16は、生体認証後に発行されたＰＩＮカード90のＰＩＮデータｃを、入力生体認証データＢと関連づけされた発行ＰＩＮデータＣとして記憶する。
【００２３】
なお、特に図示しないが、店内制御装置10は、上記構成の他に、タッチパネル51の表示を制御する手段や、顧客の入力操作に基づき景品交換レシートの発行等所定の処理を行う手段や、景品交換情報を業者制御装置30に出力するための手段を有している。そして、店内制御装置10は、複数の自動景品交換機50を同時並列処理及び管理可能に形成されている。
（景品買取所）
景品買取所には、自動景品買取機70と、自動景品買取機70の作動を制御するとともに自動景品買取機70から入力された諸情報を処理するための買取所制御装置20が設けられている。
【００２４】
（自動景品買取機70）
自動景品買取機70は、自動景品交換機50の発行したＰＩＮカードと生体認証によって、特殊景品の買い取り及び金員の払い出しを行うためのものであり、パチンコパーラーとは別の場所に設置される例えば図４に示すようなスタンド型の装置である。そして、自動景品買取機70には、タッチパネル51、生体認証装置72、ＰＩＮカード投入口73、金銭支払い口74が少なくとも設けられている。
前記タッチパネル71は、景品買い取り手順等所定の情報が表示されると共に、顧客が買い取りを希望する景品の種類や数等を入力するためのものである。前記生体認証装置72は、自動景品交換機50の生体認証装置52と同様であって、顧客の個別認証を行うためのものである。なお、自動景品交換機50と同様に、上記以外のデータ入力操作手段を有していてもよい。
【００２５】
前記ＰＩＮカード投入口73はＰＩＮカードを挿入するためのスロットである。また、金銭支払い口74は、買い取った景品に応じて金員を払い出すための排出口であって、紙幣払い出し口74aと、硬貨払い出し口74bが設けられている。
（買取所制御装置20）
買取所制御装置20は、図２に示すように、ＰＩＮデータ入出力手段21、生体認証データ入出力手段22、及びＰＩＮデータ記憶手段23、生体認証データ記憶手段24を少なくとも備えている。
ＰＩＮデータ入出力手段21は、前記ＰＩＮカード投入口73に投入されたＰＩＮカード90からＰＩＮデータｃを読み取るとともに、当該データを業者制御装置30に出力するためのものである。そして、ＰＩＮデータ記憶手段23は、ＰＩＮカード90から読み取ったＰＩＮデータｃを、読み取りＰＩＮデータＣ''として記憶する。
【００２６】
生体認証データ入出力手段22は、前記生体認証装置72が認識した所定の生体情報を生体認証データｄとして入力すると共に、当該データを業者制御装置30に出力するためのものである。そして、生体認証データ記憶手段24は、前記生体認証データｄを、入力生体認証データＤとして記憶する。
なお、特に図示しないが、買取所制御装置20は、上記構成の他に、タッチパネル71の表示を制御する手段や、顧客の入力操作に基づき所定の処理を行う手段、後述する買取指示信号ｇを入力した場合に金員の払い出し処理を行う手段等を有している。そして、買取所制御装置20は、複数の自動景品買取機70を同時並列処理及び管理可能に形成されている。
【００２７】
（業者制御装置30）
景品卸業者には、業者制御装置30が設けられている。
業者制御装置30は、図２に示すように、出玉データ記憶手段31、ＰＩＮデータ記憶手段32、買取確認手段33を少なくとも備えている。出玉データ記憶手段31は、店内制御装置10から出力された出玉データａを、出力出玉データＡ’として記憶するものである。また、ＰＩＮデータ記憶手段32は、店内制御装置10から出力されたＰＩＮデータｃを、出力ＰＩＮデータＣ’として記憶するものである。ここで、出力出玉データＡ’と出力ＰＩＮデータＣ’とは、互いに関連づけて記憶されている。すなわち、特定の出力出玉データＡ’と特定の出力ＰＩＮデータＣ’とは一対一で対応するようになっている。
【００２８】
また、買取確認手段33は、買取所制御装置20から入力したＰＩＮデータｃ及び生体認証データｄの整合性を問い合わせる確認信号ｅを団体制御装置40に出力し、所定の認証を得た場合（後述する認証付与信号ｆを入力した場合）には、買取所制御装置20に買取指示信号ｇを出力するためのものである。買取指示信号ｇは、前記出力ＰＩＮデータＣ’と対応する出力出玉データＡ’の玉数データから換算した金額データを含むものである。
なお、特に図示しないが、業者制御装置30には、自動景品交換機50での入力操作に基づく配達希望賞品の処理等を行うための手段が設けられている。そして、業者制御装置30は、複数のパチンコパーラー及び景品買取所について同時並列処理及び管理可能に形成されている。
【００２９】
（団体制御装置40）
第三者認証団体には、団体制御装置40が設けられている。
団体制御装置40には、図２に示すように、生体認証データ記憶手段41、ＰＩＮデータ記憶手段42、及び認証付与手段43が少なくとも設けられている。生体認証データ記憶手段41は、店内制御装置10から出力された生体認証データｂを、出力生体認証データＢ’として記憶するものである。ＰＩＮデータ記憶手段42は、店内制御装置10から出力されたＰＩＮデータｃを、出力ＰＩＮデータＣ’として記憶するものである。ここで、出力生体認証データＢ’と出力ＰＩＮデータＣ’とは、互いに関連づけて記憶されている。すなわち、特定の出力生体認証データＢ’と特定の出力ＰＩＮデータＣ’とは一対一で対応するようになっている。
【００３０】
また、認証付与手段43は、業者制御装置30からの確認信号ｅに基づき、問い合わせに係るＰＩＮデータｃと生体認証データｄの組合せが、団体制御装置40が記憶している出力ＰＩＮデータＣ’と出力生体認証データＢ’の組合せと一致するかどうかを照合し、一致する場合には、業者制御装置30に認証付与信号ｆを出力するものである。
なお、団体制御装置40は、複数の景品卸業者について同時並列処理及び管理可能に形成されている。
（景品交換の流れ）
次に、以上の構成を有する景品交換・買取システムにおける景品交換の流れを、図２及び図５のフローに基づき説明する。
【００３１】
顧客は、ジェットカウンター60で玉数（出玉データａ）の記載された玉数レシート80を受け取り、自動景品交換機50のレシート投入口53に玉数レシート80を投入する。すると、自動景品交換機50がレシートデータの読み込みを行う（図５の１００）。そして玉数レシート80の出玉データが読み取られると、タッチパネル51に玉数レシート80の玉数と、交換する景品の種類を選択する表示がなされる。例えば、「保有玉数ＯＯＯ個」の表示と、「一般景品に交換」「特殊景品に交換」の選択肢が表示される。そこで、前記選択肢のうちいずれか一つを選択する（１０１）。このとき、タッチパネル51の表示はそれぞれの選択肢に応じたものに切り替わる。
【００３２】
まず、「一般景品に交換」を選択した場合について説明する。「一般景品に交換」を選択した場合には、表示画面に、「交換玉数」「店内受取商品」「配達希望商品」の選択肢が追加表示される。そこで、例えばタッチパネル51の表示画面又はタッチパネル51とは別に設けられたテンキーの入力操作により、一般景品に交換する玉数を決定する（１０２）。交換希望玉数を入力すると、交換玉数の表示がされ、保有玉数表示部にはその分の保有玉数が減算されて表示される。
次に、「店内受取商品」を選択すると（１０３）、表示画面には、店内の景品交換カウンターで交換可能な商品が画像又は一覧表で表示される。顧客が好みの商品を選択することにより、当該商品に対応する玉数が一般景品交換玉数表示部の表示から減算される。そして所定の決定操作をすることにより、景品交換レシート発行口54から、交換希望商品のデータが記載された景品交換レシートが発行される（１０４）。景品交換レシートには、一般景品交換玉数を差し引いた保有玉数表示部の残り数、つまり端玉数も記載される。なお、景品交換レシートに記載された交換希望商品に関するデータ及び出玉データａは、業者制御装置30にも送られるので、景品卸業者は商品の販売管理を容易に行うことができる。
【００３３】
顧客は、前記景品交換レシートを景品交換カウンターに持ってゆくことで、希望する商品を景品として受け取ることができる。また、端玉分は景品交換カウンターで端玉用商品と交換することもできるし、貯玉カードの発行を受けるか又は手持ちの貯玉カードにインプットすることもできる。
一方、「配達希望商品」を選択すると（１０５）、表示画面には、提携する通販業者や百貨店などから配達可能な商品が画像又は一覧表で表示される。顧客が好みの商品を選択することにより、当該商品に対応する玉数が一般景品交換玉数表示部の表示から減算される。そして所定の決定操作をすることにより、配達先を指定する画面（例えば５０音のかな文字キー）に切り替わるので、配達先を入力する（１０６）。この場合、当該パチンコパーラーに会員登録している顧客については、会員番号の入力により自動的に配達先が表示されるようにすると好適である。
【００３４】
配達先が決定されると、残り玉の処理を選択する選択肢が表示される（１０７）。カウンターでの景品交換を選択すると、端玉分の景品交換レシートが発行され、これを景品交換カウンターに持ってゆくことで、端玉用商品と交換することができる。また、貯玉を希望した場合には、貯玉カード投入口56に手持ちの貯玉カードを挿入することにより、残り玉数がインプットされる。
続いて、「特殊景品に交換」を選択した場合について説明する。「特殊景品に交換」を選択した場合には、表示画面に、「交換玉数」の表示がされるので、まず特殊景品に交換する玉数を決定する（１０８）。玉数の決定は、上記した一般景品と交換する場合と同様である。玉数が決定されると、生体認証を行わせるための表示がなされるので、顧客はそれに従って、生体認証装置52により生体認証を行う。例えば、所定のフィールドに右手の人差し指を入れて、生体認証装置52に指紋を読み取らせる。そして、生体認証データｂの読み取りが終了すると、ＰＩＮカード発行口55からＰＩＮカード90が発行される（１０９）。このとき入力された生体認証データｂは、同時に発行されたＰＩＮカード90のＰＩＮデータｃとともに店内制御装置10に記憶され、同時に第三者認証団体にも出力されて、この管理下におかれることとなる。また、ＰＩＮデータｃは業者制御装置30にも送られる。
【００３５】
さて、ＰＩＮカード90を取得した顧客は、店外の景品買取所に設置された自動景品買取機70に赴くこととなる。そして、自動景品買取機70のＰＩＮカード投入口73にＰＩＮカード90を挿入すると、タッチパネル71には、生体認証を促す表示がなされる。そこで生体認証装置72により生体認証を行う。表示画面には問い合わせ中の表示がなされ、この間に業者制御装置30からの確認信号ｅに基づいて、団体制御装置40が照合を行う（１１０）。
そして、照合が得られた場合には、団体制御装置40からの認証付与信号ｆに基づき、業者制御装置30から買取所制御装置20に買取指示信号ｇが出力される。このとき、表示画面には、挿入されたＰＩＮカード90に対応する出力出玉データＡ’に基づく買い取り可能金額が表示される。そして、顧客が当該金額について「売る」の決定をした場合には、金銭支払い口74から紙幣又は硬貨が払い出されると共に、表示画面には、商品の買い取りが終了した旨が表示される。
【００３６】
ここで、ＰＩＮカード90は、前記金銭の支払いと引き替えに自動景品買取機70に回収される。このとき、当該ＰＩＮカード90のＰＩＮデータｃについては、換金済みの情報と共に業者制御装置30を経て、あるいは直接、団体制御装置40に出力される。団体制御装置40は、出力ＰＩＮデータＣ’から当該ＰＩＮデータｃを、出力生体認証データＢ’から前記ＰＩＮデータｃに対応する生体認証データｂをそれぞれ削除する。
このように形成することにより、ＰＩＮカード90の重複使用を禁止することができるので、例えば顧客が紛失したＰＩＮカード90を登録された生体認証データｂに基づいて再発行した場合でも、不正に使用されることがない。また、生体認証データｂについても、景品買い取りが終了した時点でデータクリアすることにより、顧客のプライバシーを必要以上の期間にわたり保持することなく、結果としてそれらのデータの悪用を防止することができる。生体認証データｂの消去については、店内制御装置10および買取所制御装置20においても同様にすることができる。
【００３７】
なお、「一般景品に交換」と「特殊景品に交換」は併用することができる。例えば、一般景品に交換した残り玉について、ＰＩＮカード90を発行することにより特殊景品に交換可能とすることができる。
このように、本実施の形態によれば、自動景品交換機50を用いて景品交換を可能としてあるので、景品展示に使われていた店舗スペースを削減できるとともに、自動景品交換機50を店内の数カ所に分散して設置することにより、簡易に景品交換が可能となり、閉店間際の混雑も緩和され、顧客にとっても利便性が増大する。
また、顧客の個人認証と関連づけられたＰＩＮカード90を用いて自動景品買取機70で景品の買い取りを可能としてあるので、顧客は特殊景品を簡易に販売できるとともに、ＰＩＮカード90を紛失等しても顧客以外の第三者が不当な利益を得ることがない。さらに、前述したように、登録してある個人認証に基づき対応するＰＩＮカード90を再発行することも可能であるから、顧客が不利益を被ることがない。
【００３８】
一方景品卸業者にしてみると、特殊景品として特定の商品を用意する必要がなく、経費節減及び売り上げ管理の透明性が確保できるとともに、景品買取所の防犯にも役立つものである。また、ＰＩＮカード90では重複支払いが行われることがないので、業者に不利益が及ぶこともない。
さらに、個人認証方法として生体認証を用いたことから、顧客は暗証番号などを記憶しなくてもよく、生体情報は不可逆性情報であるのでプライバシーを過度に開示することなく特定性を確保することができ、データの複製・改ざん防止、盗難等による景品の不正受け取り防止を図ることができる。
【００３９】
なお、本実施の形態では、第三者認証団体によってＰＩＮカード90のＰＩＮデータｃと生体認証データｂの整合性を判定するようにしたものであるが、第三者認証団体を介在させない場合には、業者制御装置30に生体認証データｂを記憶しておき、自動景品買取機70で入力された生体認証データｄと記憶している生体認証データｂとの照合を行い、これに基づいて買取指示信号ｇを出力するようにすればよい。
【図面の簡単な説明】
【００４０】
【図１】本発明の実施の形態であって、景品交換システムの構成を示す説明図である。
【図２】本発明の実施の形態であって、景品交換システムの概念図である。
【図３】本発明の実施の形態であって、自動景品交換機の斜視図である。
【図４】本発明の実施の形態であって、自動景品買取機の斜視図である。
【図５】本発明の実施の形態であって、景品交換の流れを示すフローチャートである。
【符号の説明】
【００４１】
10  店内制御装置                  11  出玉データ入出力手段
12  ＰＩＮデータ入力手段          13  生体認証データ入出力手段
14  出玉データ記憶手段            15  生体認証データ記憶手段
16  ＰＩＮデータ記憶手段
20  買取所制御装置                21  ＰＩＮデータ入出力手段
22  生体認証データ入出力手段      23  ＰＩＮデータ記憶手段
24  生体認証データ記憶手段
30  業者制御装置                  31  出玉データ記憶手段
32  ＰＩＮデータ記憶手段          33  買取確認手段
40  団体制御装置                  41  生体認証データ記憶手段
42  ＰＩＮデータ記憶手段          43  認証付与手段
50  自動景品交換機                51  タッチパネル
52  生体認証装置                  53  レシート投入口
54  景品交換レシート発行口        55  ＰＩＮカード発行口
56  貯玉カード投入口
60  ジェットカウンター
70  自動景品買取機                71  タッチパネル
72  生体認証装置                  73  ＰＩＮカード投入口
74  金銭支払い口
80  玉数レシート                  90  ＰＩＮカード
【図１】
2007306954.tif 000003
【図２】
2007306954.tif 000004
【図３】
2007306954.tif 000005
【図４】
2007306954.tif 000006
【図５】
2007306954.tif 000007